(57)【要約】【課題】器体内の温度上昇を抑制でき、良好な回路遮断器特性が得られる回路遮断器を提供することにある。【解決手段】回路遮断器１は、器体３の両端部それぞれに段差部４，４を備え、器体３の一端と一方の段差部４との間の第一の端子台部３１ａの前面側に複数の電源側端子部５ａ，５ａ，５ａが並設され、器体３の他端と他方の段差部４との間の第二の端子台部３１ｂの前面側に複数の負荷側端子部５ｂ，５ｂ，５ｂが並設され、複数の絶縁壁（隔壁６ａ，６ｂ及び側壁６ｃ，６ｄ）が端子台部３１ａ，３１ｂから前面側へ突設されている。そして、各電源側端子部５ａ及び各負荷側端子部５ｂそれぞれが接続端子７を有し、各接続端子７の延出部７１ａ，７１ｂが段差部４，４と２つの絶縁壁とで囲まれた空間内に立設されている。【選択図】図１
2009070697.tif 000002
【特許請求の範囲】
【請求項１】
器体の両端部それぞれに段差部を備え、器体の一端と一方の段差部との間の第一の端子台部の前面側に電源側の複数の端子部が並設され、器体の他端と他方の段差部との間の第二の端子台部の前面側に負荷側の複数の端子部が並設され、各端子台部において各端子部の並設方向における各端子部の両側それぞれで絶縁壁が前面側へ突設されている回路遮断器であって、各端子部それぞれが接続端子を有し、接続端子の延出部が段差部と２つの絶縁壁とで囲まれた空間内に立設されてなることを特徴とする回路遮断器。
【請求項２】
前記接続端子は、端子ねじの締め付けにより電線と接続する構造を有し、前記接続端子の前記延出部は、前記絶縁壁に沿って形成されてなることを特徴とする請求項１記載の回路遮断器。
【請求項３】
前記接続端子の前記延出部は、前記段差部に沿って形成されてなることを特徴とする請求項１又は請求項２記載の回路遮断器。
【請求項４】
前記接続端子の前記延出部は、前記絶縁壁及び前記段差部よりも前記器体の前面側に突出して形成されてなることを特徴とする請求項１乃至請求項３のいずれか１項に記載の回路遮断器。
【発明の詳細な説明】
【技術分野】
【０００１】
本発明は、回路遮断器に関するものである。
【背景技術】
【０００２】
従来から、図４に示すように、正面視形状が長方形状の器体（本体部）３の長手方向の両端部それぞれに段差部４，４が設けられ、器体３の長手方向の一端と一方の段差部４との間の第一の端子台部３１ａの前面側において、電源に接続される３つの端子部（以下、電源側端子部という）５ａ，５ａ，５ａが器体３の短手方向に並設されるとともに、器体３の長手方向の他端と段差部４との間の第二の端子台部３１ｂの前面側において、負荷に接続される３つの端子部（以下、負荷側端子部という）５ｂ，５ｂ，５ｂが器体３の短手方向に並設され、器体３内において電源側端子部５ａ，５ａ，５ａと負荷側端子部５ｂ，５ｂ，５ｂとの間の電路に介挿された接点を開閉操作可能なハンドル２が器体３の長手方向の中央部の前面側に設けられた回路遮断器１’が知られている。
【０００３】
ここで、図４に示した構成の回路遮断器１’の器体３は、絶縁材料により形成されており、隣り合う電源側端子部５ａ間を絶縁する隔壁６ａ，６ａが第一の端子台部３１ａから前面側へ連続一体に突設され、左端の電源側端子部５ａの左側及び右端の電源側端子部５ａの右側それぞれに隔壁６ａ，６ａに対向する側壁６ｃ，６ｃが第一の端子台部３１ａから前面側へ突設されている。一方、隣り合う負荷側端子部５ｂ間を絶縁する隔壁６ｂ，６ｂが端子部台３１ｂから前面側へ連続一体に突設され、左端の負荷側端子部５ｂの左側及び右端の負荷側端子部５ｂの右側それぞれに隔壁６ｂ，６ｂに対向する側壁６ｄ，６ｄが第二の端子台部３１ｂから前面側へ突設されている。なお、図４の構成では各隔壁６ａ，６ｂ及び各側壁６ｃ，６ｄそれぞれが絶縁壁を構成している。
【０００４】
上述の電源側端子部５ａ及び負荷側端子部５ｂは、金属で形成された端子板５２と端子板５２に螺合する端子ねじ５１とで構成され、端子ねじ５１の締め付けにより電線（図示せず）などを接続するようになっている。
【０００５】
また、従来から、上述の回路遮断器１’の他に、図５（ａ）に示すように、器体３’の一端部に設けられた端子台部３１’の前面側に端子板５２’と端子ねじ５１’とからなる端子部５’が設けられ、端子板５２’のＬ字状の延出部５２ａ’先端が器体３’内の配線空間部１１’に延出する構造を有する回路遮断器１’’が知られている（特許文献１参照）。
【０００６】
ここで、図５（ａ）の回路遮断器１’’は、図５（ｂ）に示すように、端子板５２’の延出部５２ａ’の幅方向の両側縁に切欠５２ｂ’が形成されており、配線空間部１１’と器体３’外部との間に外部通気路が形成されているので、器体３’内で生じた熱を上述の外部通気路から放熱できるようになっている。
【特許文献１】実開平４−１１２４４２号公報
【発明の開示】
【発明が解決しようとする課題】
【０００７】
ところで、図４に示した構成の回路遮断器１’では、器体３内で発生した熱を逃がすような工夫が特になされておらず、通電時に、器体３内で発生した熱に起因して、器体３内の温度が予想以上に上昇し、所定の回路遮断器特性が得られなくなることがあった。
【０００８】
また、図５（ａ）に示した構成の回路遮断器１’’のように、配線空間部１１’と器体３’外部との間に設けられた外部通気路から器体３’で生じた熱を放熱させる構造を採用しても器体３’内の温度上昇を十分に抑制することができないことがあった。
【０００９】
本願発明は、上記事由に鑑みてなされたものであり、その目的は、器体内の温度上昇を抑制でき、良好な回路遮断器特性が得られる回路遮断器を提供することにある。
【課題を解決するための手段】
【００１０】
請求項１の発明は、器体の両端部それぞれに段差部を備え、器体の一端と一方の段差部との間の第一の端子台部の前面側に電源側の複数の端子部が並設され、器体の他端と他方の段差部との間の第二の端子台部の前面側に負荷側の複数の端子部が並設され、各端子台部において各端子部の並設方向における各端子部の両側それぞれで絶縁壁が前面側へ突設されている回路遮断器であって、各端子部それぞれが接続端子を有し、接続端子の延出部が段差部と２つの絶縁壁とで囲まれた空間内に立設されてなることを特徴とする。
【００１１】
この発明によれば、器体外部の段差部と２つの絶縁壁とで囲まれた空間内に接続端子の延出部が立設されることにより、従来に比べて器体内で発生して各端子部まで伝わった熱をより効率よく放熱することができるので、器体内の温度上昇を抑制することができ、良好な回路遮断器特性を得ることができる。
【００１２】
請求項２の発明は、請求項１の発明において、前記接続端子は、端子ねじの締め付けにより電線と接続する構造を有し、前記接続端子の前記延出部は、前記絶縁壁に沿って形成されてなることを特徴とする。
【００１３】
この発明によれば、前記接続端子の前記延出部により前記絶縁壁を保護することができるので、前記各端子部と電線とを端子ねじの締め付けにより接続する際に、端子ねじを締め過ぎて電線の端部で前記絶縁壁を破壊してしまう不具合を防止することができる。
【００１４】
請求項３の発明は、請求項１又は請求項２の発明において、前記接続端子の前記延出部は、前記段差部に沿って形成されてなることを特徴とする。
【００１５】
この発明によれば、前記接続端子の前記延出部により前記段差部を保護することができるので、前記電線の端部を前記各端子部に挿入する際に、前記電線の端部で前記段差部を突き破る不具合を防止できる。
【００１６】
請求項４の発明は、請求項１乃至請求項３の発明において、前記接続端子の前記延出部は、前記絶縁壁及び前記段差部よりも前記器体の前面側に突出して形成されてなることを特徴とする。
【００１７】
この発明によれば、前記接続端子の前記延出部は、前記絶縁壁及び前記段差部よりも前記器体の前面側に突出して形成されているので、前記接続端子に試験用のプローブ等を接触させやすくなり、容易に回路遮断器の作動試験等を行うことができる。
【発明の効果】
【００１８】
請求項１の発明によれば、器体外部の段差部と２つの絶縁壁とで囲まれた空間内に接続端子の延出部が立設されることにより、従来に比べて器体内で発生して各端子部まで伝わった熱をより効率よく放熱することができるので、器体内の温度上昇を抑制することができ、良好な回路遮断器特性を得ることができる。
【発明を実施するための最良の形態】
【００１９】
本実施形態の回路遮断器１の基本構成は、図４に示した回路遮断器１’と略同じであって、図１に示すように、電源側端子部５ａ及び負荷側端子部５ｂが第一の端子台部３１ａ及び第二の端子台部３１ｂの前面側において端子板５２に重ねて配置される接続端子７を有している点が相違するだけなので、図４と同様の構成については同一の符号を付して説明を適宜省略する。
【００２０】
接続端子７は、金属で形成されており、図２に示すように、端子ねじ５１が挿通される端子孔７３が設けられた矩形板状の端子片７２と、端子片７２の３つの辺から端子片７２に直交する方向に延設された延出部７１ａ，７１ａ，７１ｂとを備えている。
【００２１】
また、接続端子７は、端子孔７３を介して電源側端子部５ａの端子板５２に螺合することで、端子板５２に固定され、その延出部７１ａ，７１ａ，７１ｂが、段差部４と２つの絶縁壁とで囲まれた空間内それぞれに立設される。
【００２２】
しかして、器体３の外部に接続端子７の延出部７１ａ，７１ａ，７１ｂが立設されることで、従来に比べて器体３内で発生して電源側端子部５ａ及び負荷側端子部５ｂまで伝わった熱をより効率よく放熱することができるので、器体３内の温度上昇を抑制することができ、それにより良好な回路遮断器特性を得ることができる。
【００２３】
本実施形態では、第一の端子台部３１ａから前面側へ突設された絶縁壁に沿って接続端子７の延出部７１ａが形成されており、第二の端子台部３１ｂから前面側へ突設された絶縁壁に沿って同様に接続端子７の延出部７１ａが形成されている。
【００２４】
この場合、接続端子７の延出部７１ａが絶縁壁の保護壁の役割を果たしている為、電線などを端子ねじ５１の締め付けにより電源側端子部５ａ又は負荷側端子部５ｂに接続する際に、端子ねじ５１を締め付け過ぎて電線の端部で上述の絶縁壁を破壊してしまうという不具合を防止することができる。
【００２５】
また、接続端子７の延出部７１ｂが段差部４の保護壁の役割を果たしている為、電線の端部を電源側端子部５ａ及び負荷側端子部５ｂに挿入する際に、電線の端部で段差部４を突き破ってしまうという不具合を防止することができる。
【００２６】
ところで、接続端子７の形状は図２の形状に限らず、例えば、図３に示すように、矩形板状の端子片７２を有し、端子片７２の対向する２つの辺から端子片７２に対して直交する方向に延出部７１ａ，７１ａが延設されるものであってもよい。この場合、接続端子７の延出部７１ａが第一の端子台部３１ａ及び第二の端子台部３１ｂから前面側へ突設された絶縁壁に沿って形成され、当該絶縁壁の保護壁の役割を果たすので、上述と同様の効果を得ることができる。
【００２７】
また、本実施形態では、図１に示すように、接続端子７の延出部７１ａ，７１ａ，７１ｂの前後方向の長さが段差部４又は絶縁壁の前後方向の長さよりも短い場合を示したが、接続端子７は、その延出部７１ａ，７１ａ，７１ｂの前後方向の長さを段差部４又は絶縁壁の前後方向の長さよりも長くして延出部７１ａ，７１ａ，７１ｂの先端部を器体３の前面側に突出して形成したものであってもよい。この場合、接続端子７の延出部７１ａ，７１ａ，７１ｂの先端部が器体３の前面側に突出しているので、接続端子７に試験用のプローブ等を接触させやすくなり、容易に回路遮断器１の作動試験等を行うことができるようになる。
【図面の簡単な説明】
【００２８】
【図１】実施形態の回路遮断器を示し、（ａ）は正面図、（ｂ）は一部破断した側面図、（ｃ）は下面図である。
【図２】同上における接続端子を示し、（ａ）は正面図、（ｂ）は側面図、（ｃ）は下面図である。
【図３】同上における接続端子を示し、（ａ）は正面図、（ｂ）は側面図、（ｃ）は下面図である。
【図４】従来例を示し、（ａ）は正面図、（ｂ）は側面の一部破断した側面図、（ｃ）は下面図である。
【図５】他の従来例の回路遮断器を示し、（ａ）は一部破断した側面図、（ｂ）は端子板の斜視図である。
【符号の説明】
【００２９】
１  回路遮断器
２  ハンドル
３  器体
４  段差部
５ａ  電源側端子部
５ｂ  負荷側端子部
６ａ，６ｂ  隔壁（絶縁壁）
６ｃ，６ｄ  側壁（絶縁壁）
７  接続端子
３１ａ  第一の端子台部
３１ｂ  第二の端子台部
５１  端子ねじ
７１ａ，７１ｂ  延出部
【図１】
2009070697.tif 000003
【図２】
2009070697.tif 000004
【図３】
2009070697.tif 000005
【図４】
2009070697.tif 000006
【図５】
2009070697.tif 000007